(57)【要約】【課題】頭皮を効率的にブラッシングすることができ、頭皮の油脂分の除去を効果的に行うことが可能な頭皮ケア用具１０を提供すること。【解決手段】本発明の頭皮ケア用具１０は、毛髪をかき分けて頭皮に接触可能な多数の凸状部１２が、基板部１１上に二次元状に設けられてなる。凸状部１２の表面に吸油層１３が設けられている。吸油層１３は、吸油の前後で視覚的な変化を生じるものであることが好ましい。吸油層１３は、熱可塑性樹脂の多孔質延伸フィルムからなることも好ましい。【選択図】図１
2010148732.tif 000002
【特許請求の範囲】
【請求項１】
毛髪をかき分けて頭皮に接触可能な多数の凸状部が、基板部上に設けられてなり、該凸状部の表面に吸油層が設けられている頭皮ケア用具。
【請求項２】
前記吸油層は、吸油の前後で視覚的な変化を生じるものである請求項１記載の頭皮ケア用具。
【請求項３】
前記吸油層が熱可塑性樹脂の多孔質延伸フィルムを積層して形成されている請求項１又は２記載の頭皮ケア用具。
【請求項４】
前記凸状部が略錐体形をしている請求項１ないし３のいずれかに記載の頭皮ケア用具。
【請求項５】
前記基板部が、頭皮の形状に即して変形可能な程度の剛性を有している請求項１ないし４のいずれかに記載の頭皮ケア用具。
【請求項６】
前記基板部のテーバーこわさの値が２〜８０ｍＮ・ｍである請求項１ないし５の頭皮ケア用具。
【発明の詳細な説明】
【技術分野】
【０００１】
本発明は、頭皮の油脂分の除去に用いられる頭皮ケア用具に関する。
【背景技術】
【０００２】
これまで、頭皮のケアを目的とした毛髪用具は、頭皮への刺激を行い、薬剤の浸透を目的としたものが多かった。例えば本出願人は先に、頭皮への十分な到達感を保持しつつ、突起によって毛髪を梳かしやすくして、毛髪を整えたり手入れを行ったりするブラシとしての利便性を向上させた毛髪用シートブラシを提案した（特許文献１参照）。このブラシは、基板シートの一方の面に２種類の突起を設けてなるものである。２種類の突起は、長軸と短軸とを有する長円の平断面形状を備えるとともに先端に向かってその断面積を減少させて錐体状に突出する整髪用突起と、円錐状に突出する押圧用突起１３とからなる。整髪用突起はその長軸方向が互いに平行となるように配置される。
【０００３】
このブラシと別に、本出願人は、マッサージ効果が得られるとともに、皮脂の除去機能や毛穴の洗浄機能を発揮する頭皮マッサージ用ブラシを提案した（特許文献２参照）。このブラシは、２種類の突起を有している。２種類の突起は、扁平な横断面形状を有するとともに、先端部分に複数の先端突起が長軸方向に間隔をおいて立設配置されたエラストマー樹脂からなるへら状突起と、先端が曲面状に面取りされたエラストマー樹脂からなる錐体状突起１５からなる。へら状突起は、ブラシ面の周縁に沿った外周部分に植設されている。これらの内側領域に錐体状突起が植設されている。
【０００４】
上述の技術とは別に、頭皮の油分を取るための毛髪用具として、皮脂をよく吸収する紙を厚紙に巻き付けて粘着剤で貼り、櫛形にカットした櫛形あぶらとり紙が知られている（特許文献３参照）。しかし、このあぶらとり紙は櫛形であることから、皮脂の除去効率がよいとは言えない。
【０００５】
【特許文献１】特開２００３−１９９６２１号公報
【特許文献２】特開２００７−２８２６８１号公報
【特許文献３】実用新案登録第３０９７４９３号公報
【発明の開示】
【発明が解決しようとする課題】
【０００６】
本発明の目的は、前述した従来技術がよりも各種の性能が向上した頭皮ケア用具を提供することにある。
【課題を解決するための手段】
【０００７】
本発明は、毛髪をかき分けて頭皮に接触可能な多数の凸状部が、基板部上に設けられてなり、該凸状部の表面に吸油層が設けられている頭皮ケア用具を提供するものである。
【発明の効果】
【０００８】
本発明によれば、頭皮に接触する凸状部が基板上に二次元的に配置されているので、頭皮を効率的にブラッシングすることができ、頭皮の油脂分の除去を効果的に行うことができる。
【発明を実施するための最良の形態】
【０００９】
以下本発明を、その好ましい実施形態に基づき図面を参照しながら説明する。図１には、本発明の頭皮ケア用具の第１の実施形態の斜視図が示されている。図２は、図１に示す頭皮ケア用具の要部を拡大して示す断面図である。
【００１０】
図１及び図２に示す頭皮ケア用具１０は、平面視して略長円形をしたシート状の基板部１１を有している。基板部１１における前後の周側部には、円弧状の前後端に沿って切り込み２１が設けられている。後述するように、切り込み部２１は、頭皮ケア用具１０を把持可能とするための部位である。
【００１１】
基板部１１は第１面１１ａと、それと反対側に位置する第２面１１ｂを有している。基板部１１は、その第１面１１ａ側に、該第１面１１ａから突出した多数の凸状部１２を有している。凸状部１２は、基板部１１の第１面１ａ側に、基板部１１の一部を突出させて形成されている。したがって、基板部１１と凸状部１２とは同一の材料から一体的に形成されている。また、凸状部１２が、基板部１１の一部を突出させて形成されていることによって、凸状部１２の内部は空洞になっている。第１面１１ａのうち、凸状部１２が形成されていない部位は平坦面になっている。一方、第２面１１ｂにおいては、凸状部１２と対向しない部位は平坦面になっており、凸状部１２と対向する部位は第１面１１ａ側に向けて凹陥している。
【００１２】
各凸状部１２は同形及び同寸であり、第１面１１ａ側に規則的に、かつ二次元状に配置されている。尤も、各凸状部１２を同形及び同寸にすることは必須ではなく、例えば基板部１１の周縁部側に位置する凸状部の高さを、それよりも内側に位置する凸状部より低くしてもよい。あるいは、凸状部のうち、基板部１１の中央部に位置する凸状部の基部の横断面積が、基板部１１の周縁部に位置する凸状部の基部の横断面積よりも大きくなるようにしてもよい。また、基板部１１の中央部における凸状部の配置密度が、基板部１１の周縁部近傍における配置密度よりも疎になるようにしてもよい。
【００１３】
凸状部１２は、毛髪をかき分けて頭皮に接触可能な形状を有している。この目的のために、本実施形態における凸状部１２は、その基部から先端部に向けて先細となる略錐体形をしている。毛髪をかき分けて頭皮に接触可能な形状であれば凸状部１２の形状は略錐体形に限られず、例えば略棒状等の形状であってもよい。凸状部１２の先端は、該凸状部１２が略錐体形であるか否かを問わず、頭皮に過度の刺激を与えないようにする観点から、曲面状に面取りされていることが好ましい。凸状部１２の横断面は、図１及び図２に示すように略円形であるが、凸状部１２が毛髪をかき分けて頭皮に接触可能である限り、この他に三角形や矩形等の多角形、楕円形、長円形、それらの任意の組合せ等を採用することもできる。
【００１４】
凸状部１２は、頭皮までの到達性及び強度の点で、その高さＨを３〜３０ｍｍ、特に５〜２０ｍｍとすることが好ましい。凸状部１２の先端の曲面の程度は、曲率半径で表して０．５〜２．５ｍｍ、特に１〜１．５ｍｍであることが好ましい。凸状部１２の基部における横断面の面積は、円相当直径で表して５〜１５ｍｍ、特に７〜１２ｍｍであることが好ましい。
【００１５】
凸状部１２は、その存在密度が２〜４０個／１０ｃｍ2、特に３〜３０個／１０ｃｍ2の密度となるように配置されていることが、毛髪をかき分けて頭皮に接触可能となる点から好ましい。基板部１１の幅方向において隣り合う凸状部１２の間隔Ｐは、凸状部１２の大きさ及び該密度により自ずと規定されるが、好ましくは５〜２２ｍｍであり、更に好ましくは１０〜１８ｍｍである。
【００１６】
凸状部１２の表面には吸油層１３が設けられている。吸油層１３は凸状部１２を構成する材料とは別材料から構成されている。吸油層１３は、凸状部１２が接触した頭皮から油脂分を吸収して除去する性質を有している。この観点から、吸油層１３は親油性の材料で構成されていることが好ましい。
【００１７】
本実施形態においては、吸油層１３は凸状部１２の全体に形成されている。また吸油層１３は、隣り合う凸状部１２間に位置する第１面１１ａの平坦部にも形成されている。これに代えて、吸油層１３を凸状部１２のみに形成してもよく、あるいは凸状部１２の全体ではなく、凸状部１２のうちの頭皮と接触する部位、例えば先端部にのみ吸油層１３を形成してもよい。なお、吸油層１３に油性の整髪料を予め付着させておくと、該整髪料によって吸油層１３が着色されてしまうので、本発明においては吸油層１３に整髪料を付着させておかないことが好ましい。
【００１８】
本実施形態の頭皮ケア用具１０は、図３に示すように、凸状部１２を下方に向けた状態で、切り込み２１，２１によって自由な帯状部材となされた両端縁部１１ｃを第２面１１ｂ側に持ち上げて、切り込み２１による開口を形成し、形成された開口側から手（指）を入れて、手により把持することができる。この場合、左右いずれの手であるかを問わずに用いることができる。また、保持用の道具等により把持することもできる。このように使用できるため、持ちやすく、使いやすい。そして把持状態下に凸状部１２をヒトの頭皮に押し当て、あるいは頭皮をマッサージして、頭皮に存する油脂分を吸収除去する。これによって、毛穴の詰まりが解消され、頭皮を清潔に保つことができ、臭いやかゆみ、抜け毛防止などの有利な効果が奏される。また、凸状部１２が吸油性に加えて吸水性を有する場合には、油脂分のみならず、汗も吸収除去することが可能になるので、頭皮を一層清潔に保つことができる。
【００１９】
吸油層１３は、頭皮の油脂分の吸収の前後、つまり吸油の前後で視覚的な変化を生じるものであることが好ましい。これによって油脂分の除去の程度を視覚的に認識することができる。また、視覚的な変化が生じることで、使用者に油脂分の除去効果を実感させることができる。
【００２０】
吸油層１３は、例えば吸油性を有するシート材料を、凸状部１２を含む第１面１１ａ側に配置することによって形成することができる。
【００２１】
吸油性を有するシート材料としては、例えば熱可塑性樹脂の繊維からなるメルトブローン不織布や、熱可塑性樹脂からなる多孔質延伸フィルムを用いることができる。これらの不織布やフィルムには、繊維によって形成された微細な網目や微細な孔が形成されており、この微細な網目や孔に油脂分が吸収される。これらのシート材料のうち、吸油性の高さの点から、多孔質延伸フィルムを積層して吸油層１３を形成することが好ましい。この多孔質延伸フィルムが、熱可塑性樹脂と、該樹脂に対して相溶性を有さない液状有機物とを含む樹脂組成物を溶融押し出しし、それによって形成された膜を一軸又は二軸延伸することで得られたものである場合には、吸油前は不透明であったフィルムが吸油によって透明になるので、視覚的な変化の程度が大きくなり、本発明において好適に用いることができる。特に、多孔質延伸フィルムが白色以外の色に着色されていると、その色から透明への視覚的変化の程度が一層大きくなるので好ましい。吸油性を有するフィルムとしては、例えば特開平１１−２３９５１７号公報に記載のもの等が挙げられる。吸油性を有するフィルムは、例えば、基板部１１の第１面１１ａの貼り合わせの際又は貼り合わせの前に、立体成形加工し、別途立体成形された不織布基材と凸状部１２の立体形状に沿わせ、粘着剤により貼り合わせ、皺が発生しないようにすることができる。
【００２２】
凸状部１２に吸油層１３が設けられていることに加え、凸状部１２は、頭皮ケア用具１０の各種の性能を高め得る薬剤を含んでいてもよい。そのような薬剤としては、例えば抗菌剤、殺菌剤、冷感剤等が挙げられる。これらの薬剤を凸状部１２にのみ含有させることで、頭皮にこれらの薬剤を効率的に供給することが可能となる。また、上述したとおり、凸状部１２の内部は空洞になっているので、この空洞にこれらの薬剤を保持させてもよい。
【００２３】
先に述べたとおり、基板部１１及び凸状部１２は同一の材料から一体的に形成されている。これらを構成する材料に特に制限はないが、凸状部１２の立体成形のしやすさ、肌触り、経済性等の点から不織布を用いることが好適である。また、不織布は、その構成繊維間に毛管力によって水を保持することが可能なので、不織布から凸状部１２を形成することで、凸状部１２に吸水性を付与することができるという利点もある。不織布としては、例えばスパンボンド不織布、スパンレース不織布、ヒートボンド不織布、メルトブローン不織布及びニードルパンチ不織布等が挙げられる。これらの不織布の坪量は、強度や操作性を考慮すると、好ましくは５０〜５００ｇ／ｍ2、更に好ましくは２００〜３００ｇ／ｍ2である。
【００２４】
不織布を形成する繊維としては、例えばポリエチレンやポリプロピレン等のポリオレフィン樹脂、ポリエチレンテレフタレート等のポリエステル樹脂、ポリアミド樹脂、アクリル系樹脂、ビニル系樹脂からなる単独繊維、２種以上の樹脂をブレンドしてなる単独繊維、２種以上の樹脂からなる多成分系複合繊維（例えば芯鞘型複合繊維やサイド・バイ・サイド型複合繊維）などが挙げられる。特に、凸状部１２の成形性や不織布の嵩高さ等の点から芯鞘構造複合繊維を用いることが好ましい。また、不織布を形成する繊維の太さは、凸状部１２に適度な圧縮強度を与える上で、１〜１００デニールが好ましい。
【００２５】
本実施形態の頭皮ケア用具１０は、その使用時に、頭皮の形状に即して基板部１１が変形可能であることが、頭皮に沿って凸状部１２が密接しやすくなる点から好ましい。基板部１１の変形の程度は、ＪＩＳ Ｐ１８２５ テーバーこわさ試験法で測定されたテーバーこわさの値が２〜８０ｍＮ・ｍ、特に４〜６０ｍＮ・ｍであることが好ましい。
【００２６】
基板部１１とは対照的に、凸状部１２は、その先端部から基部方向への圧縮に対して変形しがたい性質であることが、凸状部１２の頭皮への到達感が少なくなることを防止する観点から好ましい。「凸状部１２の変形」とは、頭皮ケア用具１０の使用中に凸状部１２が潰れ、弾性的に原形に復帰し難くなることを意味する。「頭皮へ凸状部１２の到達感」とは、凸状部１２が頭皮に接触し、適度なマッサージ感が得られることをいう。最大圧縮荷重は、次の方法で測定される。（株）オリエンテック製テンシロンＲＴＭ２５において、最大荷重５０Ｎのロードセルを用い、ヘッドスピード１００ｍｍ／ｍｉｎの圧縮条件下で得られた荷重と変位の関係図の中で、測定開始後最初のピークを、その凸状部１２の耐えられる最大圧縮荷重とする（ｎ＝１０の平均値。それぞれ凸状部１個について測定。）。
【００２７】
本実施形態の頭皮ケア用具１０は、例えば次の方法で製造される。まず、繊維をカットした後、カード機でウェブを形成し、更にヒートロールを通して不織布を製造する。この不織布から、頭皮ケア用具１０における基板部１１及び凸状部１２を形成する。具体的には、得られた不織布を、雌雄金型を用いてプレスして凸状部１２を複数形成する。このときの金型の温度は、不織布の構成繊維の種類にもよるが１２０〜２００℃であることが好ましい。プレス圧は０．５〜２０ｋｇｆ／ｃｍ2、プレス時間は３〜１５秒であることがそれぞれ好ましい。次に、プレス処理された不織布に、図１に示す切り込み２１を形成する。最後に、凸状部１２を含む第１面１１ａに吸油層１３を形成する。吸油層１３の形成方法に関しては既に述べた通りである。
【００２８】
以上、本発明をその好ましい実施形態に基づき説明したが、本発明は前記実施形態に制限されない。例えば本発明の他の実施形態として、比較的剛性の高いシート状の材料に吸油層を設けたものを波形に折り曲げて一方向に延びる凸部と凹部が交互に配置された波形板を形成し、この波形板における凸部を、本発明の頭皮ケア用具における凸状部として利用してもよい。この場合には、波形板を、所定の厚みを有する板状体からなる基板部の幅広面に取り付ければよい。
【実施例】
【００２９】
以下、実施例により本発明を更に詳細に説明する。しかしながら本発明の範囲は、かかる実施例に制限されない。
【００３０】
〔実施例１〕
図１に示す頭皮ケア用具１０を製造した。坪量１６０ｇ／ｍ2のポリエステルスパンボンド不織布を、雌雄金型を用いてプレスして、凸状部１２の高さＨが６ｍｍ、先端部の曲率半径が１ｍｍ、基部の直径が１０ｍｍ、存在密度が９個／１０ｃｍ2になるよう成形した。こうして作製した基板部１１における凸状部１２の表面に３Ｍ社製のマイクロポーラスフィルムからなる吸油層１３を形成した。
【００３１】
〔実施例２〕
実施例１において、基板部１１の作製で坪量１００ｇ／ｍ2のポリエステルスパンボンド不織布を用いた以外は実施例１と同様にして、頭皮ケア用具１０を作製した。
【００３２】
〔実施例３〕
実施例１において作製した基板部１１を厚さ１ｍｍのパルプ原料紙の上に積層した。これ以外は実施例１と同様にして頭皮ケア用具１０を作製した。
【００３３】
〔比較例１〕
実施例１において、基板部１１の作製で坪量７０ｇ／ｍ2のポリエステルスパンボンド不織布を用いた。また吸油層１３を形成しなかった。これら以外は実施例１と同様にして、頭皮ケア用具１０を作製した。
【００３４】
〔比較例２〕
実施例１において作製した基板部１１を厚さ１ｍｍのコートボール紙上に積層した。また吸油層１３を形成しなかった。これら以外は実施例１と同様にして、頭皮ケア用具１０を作製した。
【００３５】
〔評価〕
実施例及び比較例で作製した頭皮ケア用具について、以下の方法により、先に述べた方法でテーバーこわさを測定し、また、追従性、操作性及び頭皮の油脂分の除去性を以下の方法でそれぞれ評価した。これらの結果を以下の表１に示す。
なお、評価は３０代男性（ｎ＝５）で行い、最も多い評価結果を全体の評価結果として判断した。
【００３６】
＜追従性の評価＞
以下の基準に従って評価した。
○：頭部の形状に沿って変形し、シート全体が当たる。
×：頭部の形状に沿って変形せず、シート全体が当たらない。
【００３７】
＜操作性の評価＞
以下の基準に従って評価した。
○：使用時に略平面形状を維持し、快適に操作できる。
×：使用時に平面を維持できず、シワが発生したり、一部変形したりして使いづらい。
【００３８】
＜頭皮の油脂分の除去性＞
以下の基準に従って、目視で評価した。
○：凸状部全体に吸油層の色変化が確認された。
△：凸状部に部分的に吸油層の色変化が確認された
×：凸状部の形態が維持されず、一部のみ吸油層が色変化した
【００３９】
【表１】
2010148732.tif 000003
【００４０】
表１に示す結果から明らかなように、実施例１〜３の頭皮ケア用具は、比較例１及び２の頭皮ケア用具よりも、追従性及び操作性が良好であることが判る。また、頭皮の油脂分の除去性が高いことが判る。
【図面の簡単な説明】
【００４１】
【図１】本発明の頭皮ケア用具の第１の実施形態を示す斜視図である。
【図２】図１に示す頭皮ケア用具の要部を拡大して示す断面図である。
【図３】図１に示す頭皮ケア用具の使用状態を示す図である。
【符号の説明】
【００４２】
１０  頭皮ケア用具
１１  基板部
１１ａ  第１面
１１ｂ  第２面
１２  凸状部
１３  吸油層
【図１】
2010148732.tif 000004
【図２】
2010148732.tif 000005
【図３】
2010148732.tif 000006